(57)【特許請求の範囲】
【請求項１】
傾斜磁場発生手段と静磁場発生手段とが配設されたガントリー内に被検体を収容して磁気共鳴画像を撮像する磁気共鳴イメージング装置であって、
前記被検体を収容する被検体収容部と、
前記被検体を受け入れるガントリー開口部と、
前記被検体収容部に配設され高周波をシールドするシールド材で覆われたシールドボックスと、
前記被検体に高周波パルスを照射し当該被検体からのＮＭＲ信号を検出する高周波コイルと、を備え、
前記シールドボックスは、前記被検体と前記高周波コイルを出し入れ自在に収容する内部空間を形成する箱状のケース部を有し、
前記ケース部の側面部に視認窓が設けられ、前記視認窓には、網目、貫通孔またはスリットが形成された金属製のパネルが配設されており、
前記シールドボックス内に前記被検体と前記高周波コイルを収容して磁気共鳴画像を撮像すること、
を特徴とする磁気共鳴イメージング装置。
【請求項２】
前記シールドボックスは、
前記被検体収容部に載置されるベース部と、
前記ケース部と、
このケース部に形成され前記被検体を出し入れするための開口部と、を有し、
前記内部空間に前記被検体と前記高周波コイルを収容した状態で、前記開口部を前記ベース部によって塞いで前記内部空間を遮蔽すること、
を特徴とする請求項１に記載の磁気共鳴イメージング装置。
【請求項３】
前記パネルは、ステンレス製メッシュ金網であること、
を特徴とする請求項１または請求項２に記載の磁気共鳴イメージング装置。
【請求項４】
前記被検体はガントリー内シールドボックスに収容可能な小動物、植物、および果実であること、
を特徴とする請求項１から請求項３のいずれか１項に記載の磁気共鳴イメージング装置。
【請求項５】
静磁場発生手段と傾斜磁場発生手段とが配設されたガントリー内の被検体収容部に被検体を収容して撮像する磁気共鳴画像の撮像方法であって、
前記ガントリーは、
前記被検体を受け入れるガントリー開口部と、
前記被検体収容部に配設され高周波をシールドするシールド材で覆われたシールドボックスと、
前記被検体に高周波パルスを照射し当該被検体からのＮＭＲ信号を検出する高周波コイルと、を備え、
前記シールドボックスは、前記被検体と前記高周波コイルを出し入れ自在に収容する内部空間を形成する箱状のケース部を有し、
前記ケース部の側面部に視認窓が設けられ、前記視認窓には、網目、貫通孔又はスリットが形成された金属製のパネルが配設されており、
前記シールドボックス内に前記被検体と前記高周波コイルを収容して磁気共鳴画像を撮像すること、
を特徴とする磁気共鳴画像の撮像方法。
【発明の詳細な説明】
【技術分野】
【０００１】
本発明は、磁気共鳴イメージング装置、および磁気共鳴画像の撮像方法に係り、特に、シールドボックス内に被検体と高周波コイルを収容して磁気共鳴画像を撮像する磁気共鳴イメージング装置、および磁気共鳴画像の撮像方法に関する。
【背景技術】
【０００２】
従来、被検者の手全体を一度に撮像することを目的として、高周波電磁シールドルームを必要としない小型の磁気共鳴イメージング装置が知られている（例えば、特許文献１）。
【０００３】
特許文献１に記載された小型磁気共鳴イメージング装置は、ＲＦプローブの開口に被検部位である手全体を覆うことができるように局所高周波電磁シールドを設けてその中に手（被検部位）を入れて撮像する。そして、局所高周波電磁シールドを接地して、撮像時における被検者の前腕と高周波的結合をすることで、高周波電磁シールドルームを不要とする。
【先行技術文献】
【特許文献】
【０００４】
【特許文献１】特開２００９−１３１４６２号公報（請求項１、段落００１７〜００２２、図２）
【発明の概要】
【発明が解決しようとする課題】
【０００５】
しかしながら、特許文献１に記載された小型磁気共鳴イメージング装置は、被検体である手を挿入する局所高周波電磁シールドには開口部があるため、開口部から高周波が漏れるのでシールド性が悪化するという問題があった。
【０００６】
また、特許文献１に記載された小型磁気共鳴イメージング装置は、被検部位を限定した場合には好適であるが、例えば大きさや形が異なる犬や猫等の小動物に適用しようとすると操作性が悪いという問題があった。
【０００７】
そこで、本発明は、操作性を向上させて小動物等の被検体に柔軟に適合しやすく、かつ高周波電磁シールド性を高めることができる磁気共鳴イメージング装置、および磁気共鳴画像の撮像方法を提供することを課題とする。
【課題を解決するための手段】
【０００８】
前記課題を解決するため、請求項１に係る発明は、傾斜磁場発生手段と静磁場発生手段とが配設されたガントリー内に被検体を収容して磁気共鳴画像を撮像する磁気共鳴イメージング装置であって、前記被検体を収容する被検体収容部と、前記被検体を受け入れるガントリー開口部と、前記被検体収容部に配設され高周波をシールドするシールド材で覆われたシールドボックスと、前記被検体に高周波パルスを照射し当該被検体からのＮＭＲ信号を検出する高周波コイルと、を備え、前記シールドボックスは、前記被検体と前記高周波コイルを出し入れ自在に収容する内部空間を形成する箱状のケース部を有し、前記ケース部の側面部に視認窓が設けられ、前記視認窓には、網目、貫通孔又はスリットが形成された金属製のパネルが配設されており、前記シールドボックス内に前記被検体と前記高周波コイルを収容して磁気共鳴画像を撮像すること、を特徴とする。
【０００９】
本発明に係る磁気共鳴イメージング装置は、前記被検体を受け入れるガントリー開口部からシールドボックスをガントリー内の被検体収容部に容易に出し入れすることができるため、操作性が向上する。
【００１０】
つまり、種々の被検体に適合できるように適切な形状のシールドボックスを利用し、シールドボックスに被検体と高周波コイルを収容して、シールドボックスをガントリー内の被検体収容部に配設して被検体を撮像することによって、操作性が向上し、かつ対象とする種々の被検体に好適に適合させることができる。
【００１１】
また、前記シールドボックス内に前記被検体と前記高周波コイルを収容して、開放された開口部を設けずにシールドボックスを遮蔽することで、高周波電磁シールド性を向上させることができる。また、撮像時に種々の被検体に合わせて所定の高周波コイルを装着することができるので、多種多様な被検体に対して好適に適合させることができる。
【００１２】
また、本発明に係る磁気共鳴イメージング装置は、前記被検体と前記高周波コイルを収容するシールドボックスをシールド材で覆うことで、ガントリー開口部およびガントリー全体をシールドする必要がないので、シールド材の設置範囲を大幅に節減することができる。このため、シールド性を向上させるとともに磁気共鳴イメージング装置を小型化してコスト低減を図ることができる。
【００１３】
請求項２に係る発明は、請求項１に記載の磁気共鳴イメージング装置であって、前記シールドボックスは、前記被検体収容部に載置されるベース部と、前記ケース部と、このケース部に形成され前記被検体を出し入れするための開口部と、を有し、前記内部空間に前記被検体と前記高周波コイルを収容した状態で、前記開口部を前記ベース部によって塞いで前記内部空間を遮蔽すること、を特徴とする。
【００１４】
本発明に係る磁気共鳴イメージング装置は、前記ベース部と前記ケース部とを備えたことで、前記シールドボックス内に前記被検体と前記高周波コイルを出し入れ自在に収容する内部空間を形成する。
このため、被検体の出し入れが容易で、対象とする種々の被検体により好適に適合させることができる。
【００１５】
請求項３に係る発明は、請求項１または請求項２に記載の磁気共鳴イメージング装置であって、前記パネルは、ステンレス製メッシュ金網であること、を特徴とする。
【００１６】
本発明に係る磁気共鳴イメージング装置は、側面部にステンレス製メッシュ金網が配設された視認窓を備えていることで、高周波シールド性を確保しながら被検体の状態を目視にて確認することができる。
【００１７】
請求項４に係る発明は、請求項１から請求項３のいずれか１項に記載の磁気共鳴イメージング装置であって、前記被検体は小動物であること、を特徴とする。
【００１８】
本発明に係る磁気共鳴イメージング装置は、前記シールドボックスを有することで、大きさや体形が異なる種々の小動物を容易に出し入れすることができる。また、撮像時に種々の被検体に合わせて所定の高周波コイルを装着することができるので、特に小動物に対して好適に適合させることができる。
【００１９】
請求項５に係る発明は、静磁場発生手段と傾斜磁場発生手段とが配設されたガントリー内の被検体収容部に被検体を収容して撮像する磁気共鳴画像の撮像方法であって、前記ガントリーは、前記被検体を受け入れるガントリー開口部と、前記被検体収容部に配設され高周波をシールドするシールド材で覆われたシールドボックスと、前記被検体に高周波パルスを照射し当該被検体からのＮＭＲ信号を検出する高周波コイルと、を備え、前記シールドボックスは、前記被検体と前記高周波コイルを出し入れ自在に収容する内部空間を形成する箱状のケース部を有し、前記ケース部の側面部に視認窓が設けられ、前記視認窓には、網目、貫通孔又はスリットが形成された金属製のパネルが配設されており、前記シールドボックス内に前記被検体と前記高周波コイルを収容して磁気共鳴画像を撮像すること、を特徴とする。
【００２０】
本発明に係る磁気共鳴画像の撮像方法は、前記シールドボックス内に前記被検体と前記高周波コイルを収容して磁気共鳴画像を撮像することで、高周波シールド性を確保しながら大きさや体形が異なる種々の小動物を容易に出し入れすることができるため、小動物に対して好適に適合させることができる。
【発明の効果】
【００２１】
本発明は、小型化を図りながら種々の被検体に柔軟に適合しやすく、かつ高周波電磁シールド性を確保することができる磁気共鳴イメージング装置、および磁気共鳴画像の撮像方法を提供することができる。
【図面の簡単な説明】
【００２２】
【図１】本発明の実施形態に係る磁気共鳴イメージング装置の全体構成を示す正面図である。
【図２】本発明の実施形態に係るガントリーの構成を示す正面断面図である。
【図３】本発明の実施形態に係るシールドボックスを示す斜視図である。
【図４】本発明の実施形態に係るシールド材を示す正面図であり、（ａ）は網目状のシールド材、（ｂ）はパンチングメタル状のシールド材、（ｃ）はスリット状のガントリー本体シールド材を示す。
【図５】本発明の実施形態に係る磁気共鳴イメージング装置の第１の動作を示すガントリーの正面断面図であり、（ａ）は被検体収容部にシールドボックスのベース部を配設した状態、（ｂ）はベース部に被検体に高周波コイルを装着した状態、（ｃ）はベース部にケース部をかぶせて高周波コイルをシールドした状態を示す。
【図６】本発明の実施形態に係る磁気共鳴イメージング装置の第２の動作を示すガントリーの正面断面図であり、（ａ）は被検体収容部にシールドボックスのベース部を配設した状態、（ｂ）はベース部に被検体に高周波コイルを装着した状態、（ｃ）はベース部にケース部をかぶせて高周波コイルをシールドした状態を示す。
【図７】本発明の実施形態に係るシールドボックスの種々の形態を示すそれぞれ平面図（上段）および正面図（下段）であり、（ａ）はガントリーの開口部の形状に倣った円弧状型、（ｂ）は本実施形態の直方体型、（ｃ）は卵型のシールドボックスである。
【発明を実施するための形態】
【００２３】
本発明の実施形態に係る磁気共鳴イメージング装置１について、被検体Ｗが犬や猫等の小動物である場合を例として、適宜図面を参照しながら詳細に説明する。
磁気共鳴イメージング装置１は、図１と図２に示すように、被検体収容部２１を有するガントリー２と、被検体収容部２１に装着されたシールドボックス３と、シールドボックス３内に配設される高周波コイル４と、ガントリー２の動作を制御する制御ユニット１２と、撮像条件を設定し磁気共鳴画像を再構成するコンピュータ１３と、撮像条件の設定操作画面表示や磁気共鳴画像などを表示するモニタ１４と、を備えている。
【００２４】
なお、図１や図２に示すガントリー２は、説明の便宜上、説明に必要な主要な構成のみを簡略化して示しカバー部材等の付帯する装備については図示を省略する。
【００２５】
磁気共鳴イメージング装置１は、被検体Ｗを高周波コイル４にセットしてシールドボックス３内に被検体Ｗと高周波コイル４を収容して磁気共鳴画像を撮像する。
【００２６】
ガントリー２は、図２に示すように、シールドボックス３を出し入れするためのガントリー開口部２１と、傾斜磁場発生手段である傾斜磁場発生コイル２３，２３と、静磁場発生手段である静磁場発生磁石２４と、を備えている。
【００２７】
傾斜磁場発生コイル２３，２３は、ノイズフィルタ２３ａ，２３ａを介して、電源ケーブル２３ｂ，２３ｂによって制御ユニット１２（図１参照）に接続されている。
【００２８】
高周波コイル４は、被検体Ｗに高周波パルスを照射し被検体Ｗからの微弱なＮＭＲ（Ｎｕｃｌｅａｒ  Ｍａｇｎｅｔｉｃ  Ｒｅｓｏｎａｎｃｅ）信号を検出する。
高周波コイル４は、ノイズフィルタ４１を介して、高周波パルス照射用ケーブル４２、および微弱なＮＭＲ信号（核磁気共鳴信号）を受信する高周波信号検出用ケーブル４３を通じて制御ユニット１２に接続されている。また、高周波信号検出用ケーブル４３には、微弱なＮＭＲ信号を増幅するプリアンプ４４が配設されている。
【００２９】
高周波コイル４は、被検体Ｗの形状等に応じて被検体Ｗに装着しやすいように種々の形態をなして構成することができるが、一例として円筒状の形状のものや、円筒状の形状の円筒を半円に割って半割にしたものを上下に向かい合わせて組み立て・分離できるように構成した物がある。
【００３０】
磁気共鳴イメージング装置１は、高周波コイル４によって被検体Ｗから検出した微弱なＮＭＲをプリアンプ４４で増幅し、さらに制御ユニット１２で増幅・ＡＤ変換してからコンピュータ１３（図１参照）にそのデータを転送する。コンピュータ１３は、制御ユニット１２によって増幅・ＡＤ変換されたデータに対してフーリエ変換などを行い被検体Ｗの画像を再構成し、モニタ１４に表示する。
【００３１】
磁気共鳴イメージング装置１は、図１に示すように、コンピュータ１３によってグラフィカルユーザインタフェース画面（ＧＵＩ画面）をモニタ１４に表示する。コンピュータ１３は、操作者（不図示）が設定した撮像条件にしたがった命令を制御ユニット１２に送る。制御ユニット１２は、コンピュータ１３の命令に従って傾斜磁場発生コイル２３，２３と高周波コイル４を適正に駆動する。
【００３２】
具体的には、制御ユニット１２は、制御ユニット１２内の傾斜磁場発生電源（不図示）により電源ケーブル２３ｂ，２３ｂを介して傾斜磁場発生コイル３に出力を供給することで、適正な傾斜磁場を発生させる。電源ケーブル２３ｂ，２３ｂには、ノイズフィルタ２３ａ，２３ａが装着されているためノイズを低減することができる。
【００３３】
また、制御ユニット１２は、制御ユニット１２内の高周波発生器（不図示）により高周波パルス照射用ケーブル４２を介して高周波コイル４に出力を供給することで、高周波コイル４から適正な高周波パルスを発生させる。高周波パルス照射用ケーブル４２には、ノイズフィルタ４１が装着されているためノイズを低減することができる。
【００３４】
傾斜磁場発生コイル２３，２３は、被検体収容部２２を上下方向から挟むように、被検体収容部２２の周りに配設されている。
静磁場発生磁石２４は、傾斜磁場発生コイル２３，２３を上下、左右、後方から挟むように、傾斜磁場発生コイル２３，２３の周りに配設されている。ガントリー２の前方はガントリー開口部２１が設けられている。
ガントリー２は、被検体収容部２２の周りに傾斜磁場発生コイル２３，２３が配設され、傾斜磁場発生コイル２３，２３の周りに静磁場発生磁石２４が配設され、全体を図示しないガントリーカバーで覆うように構成されている。
【００３５】
シールドボックス３は、被検体収容部２２に載置されるベース部３１と、内部空間を形成する箱状のケース部３２と、このケース部３２に形成され被検体Ｗを出し入れするための開口部３３と、を備えている。
【００３６】
ベース部３１は、被検体Ｗを載置するための部材であり、板状の基板３１ａと、基板３１ａの下面に配設されたシールド材である銅箔３１ｂと、を備えている。
ケース部３２は、上部に配設された上板３２ａと、上板３２ａの周囲に配設された４枚の側板３２ｂと、上板３２ａの上面に配設されたシールド材である銅箔３２ｃと、側板３２ｂの外側を覆うに配設されたシールド材であるステンレス製のメッシュ金網３２ｄと、側板３２ｂに形成された視認窓３２ｅと、を備えている。
【００３７】
なお、本実施形態においては、シールド材である銅箔３１ｂ、銅箔３２ｃ、およびメッシュ金網３２ｄをシールドボックス３の外側（上下面と側面）に配設したが、これに限定されるものではなく、内側に配設してもよい。
【００３８】
開口部３３は、ケース部３２の下方に向けて大きく開口されている。開口部３３によって開口面積を広く確保することができるため、被検体Ｗおよび高周波コイル４を容易にシールドボックス３から出し入れすることができる。
【００３９】
視認窓３２ｅは、側板３２ｂに形成された被検体Ｗの状態を視認するための開口窓である。視認窓３２ｅにはメッシュ金網３２ｄが配設されているため、通気性を有し、かつ高周波シールド性も確保することができる。
【００４０】
なお、シールド材は、本実施形態では、銅箔３１ｂ、銅箔３２ｃやステンレス製のメッシュ金網３２ｄで構成したが、これに限定されるものではなく、導電性が高い金属で、磁場分布への影響が少なく磁場分布の変化を起こしにくい材料を好適に採用することができる。
【００４１】
具体的には、図４に示すように、材料としてはアルミニウム、銅、銅繊維、ステンレス等を使用し、形態としては板状パネルを採用することができるが、磁界によって生じる渦電流を抑制してシールド性を向上させるために、電導体を網目状に形成した網目状パネル３４ａ（図４（ａ）参照）、小さな貫通孔を多数形成したパンチングメタル状パネル３４ｂ（図４（ｂ）参照）、多数のスリットＳＴを形成したスリット状パネル３４ｃ（図４（ｃ）参照）、スリット状パネル３４ｃのスリットＳＴの向きを異なる方向に並べてスリット状パネル３４ｃとスリット状パネル３４ｃの間に絶縁材を介在して形成した複合パネル（不図示）等を採用することができる。
【００４２】
なお、シールドボックス３には、適宜被検体Ｗに対して処理をするための麻酔ガス吸引ホースやパイプ、心拍や呼吸を監視するための装置の信号線等を通すための挿通孔（不図示）、空気や酸素を導入するホースやパイプの挿通孔や通風孔（不図示）を形成するが、特に限定されるものではないので詳細な説明は省略する。
【００４３】
続いて、以上のように構成した本発明の実施形態に係る磁気共鳴イメージング装置１の第１の動作について、主として図２と図５を参照しながら説明する。
磁気共鳴イメージング装置１は、図２に示すように、静磁場発生磁石２４と傾斜磁場発生コイル２３とが配設されたガントリー２内の被検体収容部２２にシールドボックス３を配置し、シールドボックス３内に被検体Ｗと高周波コイル４を収容して磁気共鳴画像を撮像する。
【００４４】
具体的には、図５（ａ）に示すように、ガントリー開口部２１の前方に配設された移動可能な移動テーブルＴにシールドボックス３のベース部３１を載置する。そして、移動テーブルＴに載置したベース部３１の上に、高周波コイル４を被検体Ｗに装着した状態で、高周波コイル４と一緒に被検体Ｗを載せる。
【００４５】
なお、本実施形態においては、移動テーブルＴを採用したが、被検体収容部２２から引き出し可能に移動するスライドテーブル（不図示）を採用してもよい。
【００４６】
そして、図５（ｂ）に示すように、ベース部３１に被検体Ｗと高周波コイル４を載置した状態で、ケース部３２の開口部３３をベース部３１で塞ぐようにして、ベース部３１にケース部３２をセットする。
そして、図５（ｃ）に示すように、シールドボックス３の内部空間に高周波コイル４と被検体Ｗとを収容した状態で、シールドボックス３を被検体収容部２２に収容する。
【００４７】
このようにして、磁気共鳴イメージング装置１は、シールドボックス３の内部空間に高周波コイル４と被検体Ｗとを収容して、シールドボックス３を外部に対して遮蔽して高周波磁気シールドした状態で、磁気共鳴画像を撮像する。
【００４８】
なお、本実施形態においては、高周波コイル５を被検体Ｗに装着してベース部３１に載置したが、これに限定されるものではなく、高周波コイル４をベース部に配設して高周波コイル４に被検体Ｗを装着してもよい。
【００４９】
続いて、磁気共鳴イメージング装置１の第２の動作について、主として図２と図６を参照しながら説明する。
図６（ａ）に示すように、被検体収容部２２にシールドボックス３のベース部３１を載置する。そして、図６（ｂ）に示すように、ベース部３１の上に、高周波コイル４を被検体Ｗに装着した状態で、高周波コイル５と一緒に被検体Ｗを載せる。
【００５０】
そして、図６（ｃ）に示すように、ベース部３１に被検体Ｗと高周波コイル４を載置した状態で、ケース部３２の開口部３３をベース部３１で塞ぐようにして、ベース部３１にケース部３２をセットする。
【００５１】
このようにして、磁気共鳴イメージング装置１は、シールドボックス３の内部空間に高周波コイル４と被検体Ｗとを収容して、シールドボックス３を外部に対して遮蔽して高周波磁気シールドした状態で、磁気共鳴画像を撮像する。
【００５２】
なお、前記した実施形態においては、高周波コイル５を被検体Ｗに装着してベース部３１に載置したが、これに限定されるものではなく、高周波コイル４をベース部に配設して高周波コイル４に被検体Ｗを装着してもよい。
【００５３】
以上のように動作する磁気共鳴イメージング装置１は、以下のような作用効果を奏する。すなわち、シールドボックス３内に被検体Ｗと高周波コイル４を収容して、開放された開口部を設けずにシールドボックス３を遮蔽することで、高周波電磁シールド性を向上させることができる。また、撮像時に種々の被検体Ｗに合わせて所定の高周波コイル４を装着することができるので、多種多様な被検体Ｗに対して好適に適合させることができる。
【００５４】
また、磁気共鳴イメージング装置１は、被検体Ｗと高周波コイル４を収容するシールドボックス３をシールド材（銅箔３１ｂ、銅箔３２ｃ、およびメッシュ金網３２ｄ、図２を参照）で覆うことで、ガントリー開口部２１およびガントリー２全体をシールドする必要がないので、シールド材の設置範囲を大幅に節減して、シールド性を向上させるとともに磁気共鳴イメージング装置１を小型化してコスト低減を図ることができる。
【００５５】
以上、本発明の実施形態について説明したが、本発明は前記した実施形態に限定されず、適宜変更して実施することが可能である。
例えば、本実施形態においては、図６（ｂ）に示すように、シールドボックス３を直方形のボックス型にしたが、これに限定されるものではなく、種々の被検体に合わせて、図６（ａ）に示すようなガントリーの開口部の形状に倣った円弧状型のシールドボックス３Ａ、図６（ｃ）に示すような卵型のシールドボックス３Ｂを採用してもよい。
【００５６】
また、本実施形態においては、シールドボックス３の開口部３３をケース部３２の下方に向けて開口するように形成したが、ケース部３２の上方に向けて開口し、ベース部３１に代えて蓋体によってケース部３２を遮蔽してもよいし、ケース部３２の開口部３３に開閉扉を設けてもよく、要するにシールドボックス３に対象とする被検体Ｗを収容して、遮蔽できる構造であれば適宜被検体Ｗの形状等に合わせて改変することができる。
【００５７】
また、本実施形態では、被検体Ｗが小動物の場合について説明したが、これに限定されるものではなく、水分が含まれる一まとまりの物であれば撮映が可能であり、野菜や樹木等の植物、および果実に適用することもできる。
【符号の説明】
【００５８】
１      磁気共鳴イメージング装置
２      ガントリー
３，３Ａ，３Ｂ      シールドボックス
４      高周波コイル
１２    制御ユニット
１３    コンピュータ
１４    モニタ
２１    ガントリー開口部
２２    被検体収容部
２３    傾斜磁場発生コイル
２３ａ  ノイズフィルタ
２３ｂ  電源ケーブル
２４    静磁場発生磁石
３１    ベース部
３１ａ  基板
３１ｂ  銅箔（シールド材）
３２    ケース部
３２ａ  上板
３２ｂ  側板
３２ｃ  銅箔（シールド材）
３２ｄ  メッシュ金網（シールド材）
３２ｅ  視認窓
３３    開口部
３４ａ  網目状パネル
３４ｂ  パンチングメタル状パネル
３４ｃ  スリット状パネル
４１    ノイズフィルタ
４２    高周波パルス照射用ケーブル
４３    高周波信号検出用ケーブル
４４    プリアンプ
Ｗ      被検体
ＳＴ    スリット
【図１】
0006523123.tif 000002
【図２】
0006523123.tif 000003
【図３】
0006523123.tif 000004
【図４】
0006523123.tif 000005
【図５】
0006523123.tif 000006
【図６】
0006523123.tif 000007
【図７】
0006523123.tif 000008